(57)【要約】      （修正有）【課題】人が座って移動する移動体、特に乳母車の座席前方または下方から照射される紫外線から、乳母車使用者である乳幼児を保護する日よけを提供する。【解決手段】日よけ１は、長方形型の遮光シート２と、この遮光シート２の端部に一体的に縫い付けられた収納袋３（収納部）からなる。収納袋３（収納部）には、上方面ファスナー８（固定手段）…及び下方面ファスナー７（固定手段）が縫い付けられていて、乳母車（移動体）の前保護フレーム３４（保護部）の周囲に巻き付けて遮光シート２を固定することができる。これにより、乳母車（移動体）に乗っている乳幼児の前保護フレーム３４（保護部）から下を遮光することができる。【選択図】図１
0003193849.tif 000002
【実用新案登録請求の範囲】
【請求項１】
人が座って移動できる座席と、
この座席に座った人の胴部から脚部付近において、当該人のほぼ前方に設けられた保護部と、を備えた移動体に対して、
この保護部に対して取り付けられ、上記座席に座った人の保護部から下、上または横を遮光する遮光シートと、
この遮光シートと上記保護部とを着脱自在に固定する、遮光シートに設けられた固定手段とを備えたことを特徴とする日よけ。
【請求項２】
上記遮光シートは、当該遮光シートを広げた状態から小さくした状態にして収納する収納部を備えたことを特徴とする請求項１記載の日よけ。
【請求項３】
上記収納部及び上記固定手段は、上記遮光シートの広げられる基部に設けられ、当該遮光シートが小さくされた状態では、上記移動体の保護部付近にこの遮光シートが折り畳んだ状態で固定されることを特徴とする請求項２記載の日よけ。
【請求項４】
上記遮光シートの広げられた先端には、この遮光シートを広げられた状態で保持する保持手段を備えたことを特徴とする請求項３に記載の日よけ。
【請求項５】
上記保持手段は、上記遮光シートの単位面積当たりの重量より重いおもりであり、遮光シートの垂下された先端に固定されていることを特徴とする請求項４に記載の日よけ。
【請求項６】
上記保持手段は、上記遮光シートの広げられた先端を、上記移動体本体に連結して固定する手段であることを特徴とする請求項４に記載の日よけ。
【請求項７】
上記遮光シートは、垂下された状態から上方へ反転して固定する反転手段を備え、これにより上記座席に座った人の保護部から上をこの遮光シートが遮光することを特徴とする請求項４、５または６記載の日よけ。  
【請求項８】
上記遮光シートと上記収納部とは着脱自在であることを特徴とする請求項２または４記載の日よけ。
【考案の詳細な説明】
【技術分野】
【０００１】
本考案は、人が座って移動できる移動体、特に乳母車の座席付近に、簡単に取り付けられ、かつ、収納、携帯に便利な日よけに関する。
【背景技術】
【０００２】
地球温暖化に伴い、オゾン層が破壊され、地表に届く紫外線量が増え、紫外線の健康への悪影響が問題視されるようになった。紫外線、特に、波長の短いＵＶ−Bは、皮膚がん、白内障などの原因になると言われている。とくに、乳幼児では、肌が弱く、抵抗力がなく、また、成長が盛んな時期であるため細胞分裂が激しいため、大人よりも紫外線による悪影響を受けやすい。このため、乳母車の上部に取り付けられる紫外線を遮蔽するための幌については様々なものが提案されてきた。しかし、上記幌では乳母車の上方からの紫外線を防ぐことはできるが、乳母車の前方からの紫外線またはアスファルト地面からの照り返しのよる乳母車の下方からの紫外線を有効に防ぐことができなかった。
【０００３】
そのため、乳母車の前方全体を覆うカバー等については様々なものが考案されてきた。しかし、これらのカバーは、取り付けに手間がかかる上に、使用しない場合には、かさばるため、持ち運びに不便である。また、乳母車の前方全体を覆うと、乳母車の使用者である乳幼児にとって圧迫感があり、かつ、通気性も悪い。
【０００４】
また、足部のみを覆う日よけも提案されたが、取り付けが簡単で収納、携帯に便利なものはなかった。
【０００５】
【特許文献１】特開２００６−２６３３４１号公報
【特許文献２】特開２００９−１１９９３３号公報
【考案の開示】
【考案が解決しようとする課題】
【０００６】
本考案は、上述した課題を解決するためになされたものであり、本考案の目的は、人が座ったまま移動できる移動体、特に、乳母車等に簡単に取り付け、取り外しができ、移動体の前方から照りつける紫外線から移動体使用者の顔部、足部、脚部、胴部、腕部、下半身、上半身、または体全体を保護し、またはアスファルト地面等からの照り返しによる移動体の下方からの紫外線から移動体使用者の足部を守ることのできる収納に便利な日よけを提供することである。
【課題を解決するための手段】
【０００７】
上記目的を達成するために、本考案の日よけは、人が座って移動できる移動体の座席と、  この座席に座った人の胴部付近において、当該人の前方に設けられた保護部と、を備えた移動体に対して、  この保護部に対して取り付けられ、上記座席に座った人の保護部から下を遮光する遮光シートと、この遮光シートと上記保護部とを着脱自在に固定する、遮光シートに設けられた固定手段とを備えた。
【考案の効果】
【０００８】
これにより、人が座って移動できる移動体、特に乳母車の前方などから照射される紫外線から乳母車使用者である乳幼児の顔部、足部、脚部、胴部、腕部、下半身、上半身、または体全体を守ることができ、かつ、移動体への取り付け、取り外しが簡単で、収納、携帯にも便利な日よけを提供する。
【図面の簡単な説明】
【０００９】
【図１】本考案の第一実施形態による日よけ１の正面（表側）を示す。
【図２】本考案の第一実施形態による日よけ１の背面（裏側）を示す。
【図３】本考案の第一実施形態による日よけ１の使用状態（足部遮光）を示す。
【図４】遮光シート２の収納状態を示す。
【図５】本考案の第二実施形態による日よけ１の正面（表側）を示す。
【図６】本考案の第三実施形態による日よけ１の使用状態（上半身遮光）を示す。
【図７】本考案の第四実施形態による日よけ１の使用状態（足部遮光）を示す。
【符号の説明】
【００１０】
１…日よけ  ２…遮光シート
３…収納袋（収納部）
４…スライドファスナー ５…縫合部
６…下方布（保持手段）７ …下方面ファスナー（固定手段）
８…上方面ファスナー（固定手段） ９…磁石（保持手段）
１０…下方布面ファスナー（反転手段） １１…連結紐（保持手段）
３０…乳母車（前保護フレームあり）（移動体） ３１…座席
３２…幌 ３３…アームレスト（保護部）
３４…前保護フレーム（保護部） ３５…前脚フレーム（保護部）
３６…幌面ファスナー（反転手段） ３７…挟持部（固定手段）
３８…紐（固定手段） ３９…手押しフレーム
４０…前方フレーム ４１…支持部材（反転手段）
４２…ロッド（反転手段） ５０…乳母車（前保護フレームなし）（移動体）
【考案を実施するための形態】
【００１１】
（１）日よけ１の全体構造（第一実施形態）
図１は本考案の１実施形態による日よけ１の正面図（表側）、図２はその背面図（裏側）、図３は、その使用状態を示している。本実施形態では、日よけ１は、乳幼児が座って移動できる座席３１があり、この座席３１に座った乳幼児の胴部付近において、この乳幼児の前方に前保護フレーム３４（保護部）が設けられているタイプの乳母車３０（移動体）に取り付けて使用される。
【００１２】
図１に示すように、本実施形態による日よけ１は、大きい略長方形状の遮光シート２及びこの遮光シート２より小さい略長方形状の収納袋３（収納部）とからなる。
【００１３】
収納袋３（収納部）は、横長の略長方形で同形同大の２枚の綿の布が四辺で縫い合わされて、袋状の構造になっている。左右両辺は、生地がほつれにくいように、パイピングが施されている。この収納袋３（収納部）の正面側には、中央よりやや下方の位置に、この略長方形の上下の辺とほぼ平行に横方向に延びる、スライドファスナー４が縫合されている。
【００１４】
このスライドファスナー４の外側は、収納袋３の生地が延出されて覆われていて、このスライドファスナー４の外側が覆われている。このスライドファスナー４を覆う部分は、上下両方からスライドファスナー４を覆っているが、下側の覆いと上側の覆いとは重なっており、上側の覆いの方が外側に位置している。これにより、スライドファスナー４を開いて遮光シート２を引き出して垂下するとき、遮光シート２が下側の覆いと上側の覆いとの間をしわにならずに円滑に挿通できる。
【００１５】
このスライドファスナー４によって、収納袋３（収納部）は開閉自在となっている。なお、スライドファスナー４は固定部兼収納部３の左右の端から端まで縫いこまれているのではなく、スライドファスナー４の長さは、固定部兼収納部３の横幅よりやや短くなっている。
【００１６】
遮光シート２は、縦長の略長方形状となっており、縦方向の長さは、収納袋３（収納部）の縦方向の長さの３倍ないし４倍ほどである。また、遮光シート２は、黒色でポリエステルなど紫外線カット効果のある、薄くて通気性があり透けて見える生地でできている。
【００１７】
さらに、遮光シート２は撥水加工または防水加工がされており、紫外線を防ぐ他、雨よけ、雪よけ、風よけ、水よけ、ゴミ除け、熱いまたは冷たい飲食物のこぼれよけ、その他の防護等の効果もある。そして、遮光シート２の上辺は、収納袋３（収納部）の袋状の内側の上辺の縫合部５で、この収納袋３（収納部）の内部に縫い付けられている。遮光シート２は、収納袋３の上辺でなくても、スライドファスナー４付近に縫いつけられていてもよい。
【００１８】
遮光シート２の横幅は、収納袋３の横幅及びスライドファスナー４の幅よりやや短くなっており、スライドファスナー４を開いた状態では、図１に示すように、収納袋３（収納部）の袋状の内側から、開かれたスライドファスナー４の開口部を経て外に出て、まっすぐ下方に垂下されて広げられる。ただし、遮光シート２は、横幅がスライドファスナー４の開口部でスライドファスナー４の長さより短く、これより下方では、横幅がより拡がった台形状であってもよい。これにより、乳母車３０に座った人の脚部の側面も遮光できる。
【００１９】
（２）下方布６または磁石９（保持手段）（第一実施形態）
本実施形態による日よけ１では、上記遮光シート２の垂下された先端には、この遮光シート２を垂下された状態で保持する下方布６（保持手段）、磁石９（保持手段）を備えている。そして、これらの下方布６または磁石９（保持手段）は、上記遮光シート２の単位面積当たりの重量より重いおもりでもあり、遮光シート２の垂下された先端に固定されている。
【００２０】
本実施形態では、遮光シート２の下端は、収納袋３（収納部）と同じ綿製の下方布６（保持手段）でできており、遮光シート２より、比重の重い布でできているため、遮光シート２の下端に重みを付加する。さらに、遮光シート２の下端に重みを付加するために、下方布６（保持手段）の内部には、重りとなるもの、例えば細い金属製のロッド４２などが縫いこまれていてもよい。
【００２１】
これにより、遮光シート２をまっすぐ下方へ垂下させて保持することができ、風が吹いても遮光シート２が簡単に吹き上げられることがない。また、下方布６（保持手段）は、内部に重りとなるものを縫いこんでいなくても、単に、遮光シート２より、比重の重い布でできていてもよい。ロッド４２は無くてもよい。
【００２２】
また、図２に示すように、下方布６（保持手段）の背面側、左右の両端付近に磁石９（保持手段）…が縫いつけられている。これにより、本実施形態による日よけ１を移動体、たとえば乳母車３０等に取り付けたとき、遮光シート２の下方の左右両端が、磁性体の金属製の乳母車３０の左右の前脚フレーム３５…に、それぞれ磁石９（保持手段）…の磁力により引き寄せられて、吸着され連結されて固定され、しかも着脱自在となる。
【００２３】
これにより、風によって、遮光シート２の下端が吹き上げられるのを防ぐことができ、遮光シート２をまっすぐ下方へ垂下させて保持することができる。この磁石９（保持手段）…はおもりの役目も果たす。この磁石９（保持手段）…は無くてもよい。
【００２４】
（３）上方面ファスナー８及び下方面ファスナー７（固定手段）及び使用状態（第一実施形態）
収納袋３（収納部）の正面側の下辺付近でスライドファスナー４より下方には、このスライドファスナー４とほぼ平行に、ほぼ直線状の下方面ファスナー７（固定手段）が縫いつけられている。また、図２に示すように、収納袋３（収納部）の背面側には、上辺付近に、ほぼ等間隔に五つの上方面ファスナー８（固定手段）…が縫い付けられている。
【００２５】
この五つの上方面ファスナー８（固定手段）…のうち、左右両端及び中央に縫い付けられた上方面ファスナー８（固定手段）…は、同形同大で、ほぼ正方形型となっているが、これらの間に位置する二つの上方面ファスナー８（固定手段）…は、同形同大で、横幅が狭くなって、縦長の長方形型となっている。なお、上方面ファスナー８及び下方面ファスナー７は、他の形状でもよく、たとえば、双方とも横に延びる長方形状であってもよい。
【００２６】
このため、収納袋３（収納部）の上辺を背面下方側へ、及び収納袋３（収納部）の下辺を背面上方側へ、つまり図１に示された矢印方向にそれぞれ折り曲げることにより、下方面ファスナー７（固定手段）と上方面ファスナー８（固定手段）…を係合させれば、内側に略円柱状の空間を作ることができる。
【００２７】
図３は、本実施形態による日よけ１を乳母車３０（移動体）に取り付けた状態を示す。乳母車３０（移動体）は、乳幼児が座る座席３１の上部に幌３２、座席３１の左右にアームレスト３３…、アームレスト３３…（保護部）を連結し、座席３１に座った乳幼児の胴部付近において、当該乳幼児の前方に設けられた前保護フレーム３４（保護部）、座席３１の後方に手押しフレーム３９を備えた背面型となっている。
【００２８】
乳母車３０（移動体）に日よけ１を取りつけて使用する際には、日よけ１の収納袋３（収納部）を乳母車（移動体）３０の前保護フレーム３４（保護部）に対して取り付けられ、座席３１に座った人の前保護フレーム３４（保護部）から下を遮光する。
【００２９】
具体的には、スライドファスナー４を開放して、遮光シート２を収納袋３（収納部）から出した状態にして広げる。そして、日よけ１の正面側を乳母車３０の前方側に、つまり、日よけ１の背面側を座席３１側にして、収納袋３（収納部）の上辺を前保護フレーム３４（保護部）に沿って上側から巻きつけて背面下方側に曲げ、収納袋３（収納部）の下辺を前保護フレーム３４（保護部）に沿って下側から巻きつけて背面上方側に折り曲げて、前保護フレーム３４（保護部）を収納袋３（収納部）でくるみ、前保護フレーム３４（保護部）（保護部）の座席３１側で、上方面ファスナー８（固定手段）…と下方面ファスナー７（固定手段）を係合させる。これにより、日よけ１を前保護フレーム３４（保護部）に着脱自在に固定できる。
【００３０】
このように、収納袋３に設けられた、上方面ファスナー８（固定手段）…と下方面ファスナー７（固定手段）により、遮光シート２と前保護フレーム３４とを着脱自在に固定する。  
【００３１】
図３に示すように、遮光シート２は軽いにも関わらず、下方布６（保持手段）の重みにより下方にまっすぐ垂下して広がり、座席３１に座った人の前保護フレーム３４（保護部）より下の下半身、胴部、脚部または足部を覆う。これにより、乳母車３０（移動体）の使用者である乳幼児の前保護フレーム３４（保護部）より下を遮光することができる。また、遮光シート２は、乳幼児の前保護フレーム３４（保護部）より下を直接覆うわけではないので、遮光シート２が、ポリエステルなど通気性の良くない素材でできていたとしても、乳幼児の足部等がむれることがなく、乳幼児に不快感を起こさせることもない。
【００３２】
本考案の他の実施形態では、下方布６（保持手段）の左右の両端の背面に磁石９（保持手段）…が縫いこまれており、磁石９（保持手段）…の磁力により、下方布６（保持手段）の左右の両端が、乳母車（移動体）３０の金属製の前脚フレーム３５…にそれぞれ引き寄せられる。このため、風で遮光シート２が上方に吹き上げられるのを防ぐことができる。
【００３３】
本実施形態では、背面型の乳母車３０に日よけを取り付けて使用したが、対面型の乳母車であっても、まったく同様に、前保護フレーム３４に遮光シート２を固定させて、使用することができる。
【００３４】
（４）下方布面ファスナー１０及び幌面ファスナー３６（反転手段）（第一実施形態）
また、上記遮光シート２は、垂下された状態から上方へ反転して広げられて固定する下方布面ファスナー１０（反転手段）を備え、これにより上記座席に座った人の前保護フレーム３４（保護部）から上の上半身、胴部、胸部、顔部または腕部をこの遮光シート２が遮光する。
【００３５】
具体的には、下方布６（保持手段）の正面側（表側）中央付近には、下方布面ファスナー１０が縫い付けられており、乳母車３０（移動体）の幌３２の先端中央付近には、この下方布面ファスナー１０（反転手段）と係合可能な幌面ファスナー３６（反転手段）が設けられている。
【００３６】
このため、収納袋３（収納部）を、前保護フレーム３４（保護部）に固定したまま、垂下されている下方布６（保持手段）を上方へ持ち上げて反転させ、下方面ファスナー１０を幌面ファスナー３６に係合させれば、遮光シート２が座席３１に座った人の前保護フレーム３４（保護部）から上をこの遮光シート２が覆う状態で、固定することができる。このため、太陽光の角度によっては、乳母車３０（移動体）の使用者である乳幼児の前保護フレーム３４から下よりも、前保護フレーム３４から上を遮光する必要がある場合に対応することができる。
【００３７】
（５）収納状態（第一実施形態）
また、本実施形態の日よけ１では、上記遮光シート２は、当該遮光シート２を広げた状態から小さくした状態にして収納する収納袋３（収納部）を備える。
【００３８】
図４には、本実施形態による日よけ１を使用していないときの収納状態を示す。前述したように、本実施形態では、上方面ファスナー８及び下方面ファスナー７（固定手段）及び収納袋３（収納部）が、遮光シート２の垂下される基部に設けられている。つまり、収納袋３（収納部）の内部上端の縫合部５で、この収納袋３に遮光シート２上端が縫合されている。
【００３９】
遮光シート２の横幅は収納袋３（収納部）及びスライドファスナー４の開口部の幅より短く、遮光シート２の縦方向の長さは収納袋３（収納部）の縦方向の長さの３倍から４倍ほどとなっている。そして、遮光シート２は充分にうすい生地でできているため、この遮光シート２を縦方向で３つないし４つほどに小さく折り畳み、スライドファスナー４を開放して、収納袋３（収納部）の内部に、この折り畳んだ遮光シート２を収納することができる。
【００４０】
遮光シート２を収納袋３（収納部）内部に収納した状態で、スライドファスナー４を閉じれば、図４のような状態となり、収納袋３（収納部）の内部に遮光シート２が完全に収まる。このようにすれば、遮光シート２を広げた状態から小さくした状態にして、収納袋３（収納部）に収納すれば、日よけ１は嵩張ることもなく、携帯に便利となる。
【００４１】
さらに、遮光シート２を収納袋３（収納部）の内部に収納した状態で、乳母車３０（移動体）の前保護フレーム３４（保護部）に沿って、図４の矢印に示すように、収納袋３（収納部）の上端を背面下方に向かって折り曲げて巻きつけ、収納袋３（収納部）の下端を背面上方に向かって折り曲げて巻きつける。
【００４２】
次いで、前保護フレーム３４（保護部）の座席３１側で、収納袋３（収納部）の下方面ファスナー７（固定手段）と上方面ファスナー８（固定手段）…を係合させれば、乳母車（移動体）３０の前保護フレーム３４（保護部）付近、つまり前保護フレーム３４の周囲・周辺に、この遮光シート２が折り畳んだ状態で固定される。このような状態にしておけば、遮光シート２の不使用時には邪魔にならず、遮光シート２が必要な場合には、すぐに取り出すことができる。
【００４３】
（６）遮光シート２の素材（第一実施形態）
遮光シート２の素材としては、紫外線を遮る効果がある素材、たとえば、ポリエステル、キュプラ、綿などを使用することができる。色としては、紫外線を吸収するため、黒色等濃い色が望ましい。ポリエステルでは、紫外線を９０％以上カットすることができる。
【００４４】
さらに、紫外線カット効果を上げるための加工のなされた素材を用いることもできる。たとえば、酸化チタン、特殊セラミック、炭素等には、紫外線を吸収乱反射させる効果があるため、これらの粒子を高濃度に生地の繊維内部に練りこむことによって、紫外線が肌に達する量を大きく軽減することができる。
【００４５】
また、綿等の天然素材では、生地に紫外線吸収剤を付ける後加工を施すことにより、紫外線カット効果を上げることができる。ただし、紫外線吸収剤を繊維に練りこむ方法の方が、洗濯を繰り返しても、紫外線吸収剤が落ちにくく、継続使用しても紫外線カット効果が持続される等のメリットがあるため、遮光シート２の素材としてはより好ましい。
【００４６】
また、これらの紫外線吸収剤は、赤外線，可視光線等の透過も防ぐため、これらの紫外線吸収剤により紫外線カット加工を施した素材を遮光シート２の素材として使用すれば、強い日差しの中でも、乳母車３０（移動体）または乳母車５０（移動体）の座席３１付近の温度上昇を防ぐことができ、また、座席３１の内側を透けにくくする効果を持たせることもできる。
【００４７】
他には、繊維の断面形状を変えて、紫外線カット効果を高めた素材も開発されている。通常の繊維は、断面が丸型であるが、紫外線を反射させやすい形状、たとえば、十字型、星型等に変え、繊維の表面積を広げれば、繊維表面で紫外線を反射させ、紫外線の透過量を減らすことができる。これらの加工生地を、遮光シート２の素材として使用することもできる。
【００４８】
遮光シート２は、日光または紫外線を遮るにも関わらず、遮光シート２は薄地で透けているので、通気性は保たれ、風を通して暑さを防ぐことができる。さらに、遮光シート２には、水などを吹きかけることもでき、さらには日よけ１全体を水に浸けてから乳母車３０に装着してもよく、これにより、涼しく過ごすこともできる。
【００４９】
（７）第二実施形態
また、本考案の他の実施形態では、図５に示すように、保持手段が下方布６（保持手段）の左右両端に縫い付けられた連結紐１１（保持手段）…となっている。この連結紐１１…は、左右の端にそれぞれ２本ずつ合計４本縫いつけられており、この左右の連結紐１１…それぞれを、乳母車３０（移動体）の左右の前脚フレーム３５…の周囲で結ぶことにより、遮光シート２の垂下された先端の下方布６（保持手段）を、乳母車３０（移動体）の前脚フレーム３５…に連結して固定される。
【００５０】
この方法により、遮光シート２の垂下された先端である下方布６（保持手段）を、乳母車３０（移動体）の左右の前脚フレーム３５…に連結して着脱自在に固定させることができ、遮光シート２が風で上方に捲れ上がるのを防ぐことができ、遮光シート２を垂下された状態で保持できる。なお、遮光シート２を収納する際には、連結紐１１…も収納袋３に収納することができる。
【００５１】
（８）第三実施形態
本考案の他の実施形態では、図６に示すように、他の反転手段が使用されている。乳母車３０の幌３２には、先端部に前方フレーム４０が設けられており、この前方フレーム４０の左右側部のほぼ同じ高さに、支持部材４１…を着脱自在に取りつける。この二つの支持部材４１…に細長い棒状のロッド４２を差し渡す。そして、日よけ１の収納袋３を前保護フレーム３４に固定したまま、下方布６を垂下した状態から上方に反転して、このロッド４２に下方布６（保持手段）を結合して固定させれば、乳幼児の前保護フレーム３４から上が遮光される。
【００５２】
ロッド４２に下方布６（保持手段）を結合させる手段としては、たとえば、ロッド４２が金属製であれば、下方布６（保持手段）の左右に縫い付けられた磁石９…（保持手段）の磁力により、下方布６（保持手段）の左右両端をロッド４２に引き寄せて吸着させることができる。また、下方布６（保持手段）の左右の両端に連結紐１１…が縫合されているタイプでは、この連結紐１１…をロッド４２の左右両端付近に結び付けて固定してもよい。また、ロッド４２は下方布６内部に縫合されていてもよい。
【００５３】
（９）第四実施形態  
また、本考案の他の実施形態では、前保護フレーム３４（保護部）がないタイプの乳母車５０に日よけ１を使用する。図７では、この実施形態での日よけ１の使用状態を示している。本実施形態では、細い紐３８…の両先端にそれぞれ、洗濯挟みと同じ構造の挟持部３７…が連結されたものを左右一対使用して、日よけ１を乳母車５０に固定する。
【００５４】
つまり、一方の挟持部３７a…で収納袋３（収納部）の上辺の角付近を挟持し、他方の挟持部３７ｂ…で、アームレスト３３…（保護部）を上から挟んで固定する。これを左右同じように装着する。このようにすれば、遮光シート２により乳母車５０の座席３１に座る乳幼児のアームレスト３３…の高さから下を遮光する。
【００５５】
また、上記実施形態で、下方布６（保持手段）を垂下された状態から上方へ反転して、下方布面ファスナー１０と幌面ファスナー３６を係合して固定させれば、乳幼児のアームレスト３３…の高さから上を遮光することができる。本実施形態ではアームレスト３３…が保護部の役目を果たす。
【００５６】
これら第二実施形態、第三実施形態、第四実施形態それぞれで記載されていないことは、他の第一実施形態、第二実施形態、第三実施形態、第四実施形態で記載されている内容が参照及び引用される。本願明細書及び特許請求の範囲においては、上記複数の実施形態にわたって、各部または一部を入れ替えた実施形態も、上記各実施形態として記載されているものである。
【００５７】
（１０）他の実施の形態
本考案は、上記実施形態に限定されず、種々変更可能である。例えば、遮光シート２の素材は、ポリエステル以外に、ポリビニール、ポリエチレン、ポリプロピレン、ゴム、その他のプラスチックまたは化学繊維からなる織物またはシート、紙、綿、麻、絹、羊毛、金属、ガラス、岩石などの織物、不織布またはシート、アルミシート、紫外線カットフィルム、これらの複合体・積層体などでもよいし、遠赤外線を発生する素材でもよいし、それ自体は、紫外線カット効果がない素材であっても、酸化チタン、炭素、セラミック等の無機粒子を繊維内部に練りこむ、または後加工により生地に付加する等の加工を施すことによって、紫外線カット効果を付加することができ、遮光シート２の素材として使用することができる。また、これらの混合素材であってもよい。
【００５８】
また、遮光シート２の素材は、厚手で風を通さず通気性の無い透けて見えない、防寒性、防風性、保温性のあるものでも、薄くて風を通す通気性のある透けて見える、通気性、冷却性、風を通す性質のものでもよいし、これらを組み合わせた複合のもの積層のものでもよい。また、紫外線カット効果以外に、撥水性、防水性、防露性、防滴性、冷感作用、冷却作用等他の作用を有する素材を使用してもよいし、紫外線カット効果が無くてもよいし、透明または半透明でもよい。
【００５９】
遮光シート２は複数枚でもよく、この内の一枚が下方に垂下され、他の一枚が上方に反転されて固定されてもよい。遮光シート２は布状のほか、網状、すだれ状、よしず状、ブラインド状、ロールカーテン状、よろい状、板状、箱状など、光を遮光できれば何でもよいし、これらが複数枚積層されてもよい。
【００６０】
遮光シート２の横幅及び収納袋３の横幅は、アームレスト３３…まで延びて折れ曲がり、乳母車３０に座る人の下側面も遮光してもよいし、さらに反転して上側面も遮光してもよい。遮光シート２または収納袋３の一部または全体には、補強のための棒、編などが単数または複数内蔵または付着されてもよい。また、収納袋３及び遮光シート２は、乳母車３０の正面のほか、乳母車３０の右側面または左側面にも取り付けられてもよい。
【００６１】
乳母車３０（移動体）には、前保護フレーム３４（保護部）が無く、アームレスト３３、３３のみの場合には、左右のアームレスト３３、３３の前端間に、紐、棒、その他の掛け渡し手段が取り付けられ、この掛け渡し手段に、収納袋３が取り付けられたり、遮光シート２が取り付けられたりする。この取り付けは、面ファスナー、線ファスナー、接着テープ、ボタン、フック、ホック、クリップ、挟み、磁石、連結紐、接着テープなどによる。
【００６２】
遮光シート２の形状、大きさは、略長方形でなくても、移動体使用者の前保護フレーム３４から下あるいは前保護フレーム３４から上を遮光するに充分な大きさ、形状であれば、楕円形、半円形、三角形等どんな形状、大きさでもよい。
【００６３】
遮光シート２の形状としては、横幅が上辺ではスライドファスナー４の幅と等しく、ここから下部分では、横幅がスライドファスナー４の長さ及び収納袋３の横幅より長くなった台形状であってもよい。この場合、遮光シート２がスライドファスナー４に引っかからず、また乳母車使用者である乳幼児の脚部、足部をさらに充分に側面も遮光することができる。
【００６４】
なお、遮光シート２が略長方形型である場合には、遮光シート２の横幅は、スライドファスナー４の長さより短くてもよい。また、遮光シート２の縦方向の長さは、収納袋３に収納できる程度の長さで、かつ、充分に必要な遮光ができる長さであればよい。具体的には、収納袋３の縦方向の長さの３倍ないし４倍ほどが好ましい。
【００６５】
収納袋３（収納部）の左右両端のパイピングはなくてもよい。収納袋３（収納部）の形状、大きさは、略長方形でなくても、遮光シート２を収納するに充分な大きさ、形状で、かつ、前保護フレーム３４に取り付けられる大きさ、形状であれば、長方形のほか、正方形、円形、楕円形、星形等の平面形状のほか、直方体、立方体、円板形、多面体、球体等の立体形状でもよい。また、収納袋３に設けられるスライドファスナー４の長さは、収納袋３の横幅と同じでもよいし、これよりも短くてもよい。
【００６６】
ただし、遮光シート２を内部に収納しやすい程度の横幅であることが好ましいが、遮光シート２の横幅は収納袋３の横幅より大きく、数倍あってもよく、遮光シート２を横に折り畳めば遮光シート２を収納袋３に収納できる。また、収納袋３の開閉手段は、スライドファスナーでなくても、面ファスナー、磁石、スナップボタン、ボタンとボタンホール、ホックとフック等何でもよい。  
【００６７】
上記実施形態では、遮光シート２の垂下される基端部が収納袋３（収納部）と縫合されていたが、収納袋３は遮光シート２の下でも中央でもどこに設けられていてもよいし、逆に遮光シート２は収納袋３の内部のほか外部、下縁、上縁、中央等どこに連結されてもよい。たとえば、遮光シート２は、収納袋３のスライドファスナー４付近に連結されていてもよい。
【００６８】
遮光シート２は収納袋３（収納部）と分離した別体であってもよい。その場合には、使用時に、遮光シート２を収納袋３（収納部）と連結する手段が必要となるが、たとえば、収納袋３内部及び遮光シート２の上端に面ファスナーを設けてもよい。このほか、連結手段としては、面ファスナー以外にも、線ファスナー、磁石、スナップボタン、ボタンとボタンホール、ホックとフック、連結紐、接着シート等、何でもよい。
【００６９】
また、上記のように、遮光シート２を収納袋３（収納部）と分離した別体で着脱可能とする場合には、遮光シート２を複数枚用意し、収納袋３に対して付け替えることも可能である。たとえば、夏用と冬用の遮光シート２を備え、夏用の遮光シート２には紫外線カットの他、冷感作用のある素材を使用し、冬用の遮光シート２には防寒作用のある素材を使用すれば、一年を通して快適に使用ができる。
【００７０】
このように、遮光シート２が収納袋３（収納部）と分離した別体で着脱可能であれば、収納袋３に複数の遮光シート２を係着でき、例えば、曇天のときは、遮光シート２を一枚使用し、炎天下では遮光シート２を二枚以上重ねて使用しできる。また、このような複数の遮光シート２のうち、前保護フレーム３４またはアームレスト３３より上には、薄くて風を通す通気性のある透けて見える遮光シート２を係着し、下には厚手で風を通さず通気性の無い透けて見えない遮光シート２を係着してもよい。
【００７１】
下方面ファスナー７、上方面ファスナー８、挟持部３７、クリップ３８（固定手段）は収納袋３（収納部）に設けられていたが、遮光シート２などに設けられ、収納部３以外に設けられていてもよい。収納部３はなくてもよい。遮光シート２は、巻いて丸めたり、折り畳んだりして、紐、バンド、面ファスナーなどで結束してもよい。この場合、このような巻いて丸めたまたは折り畳んだ遮光シート２より小さい結束手段が収納部３となる。
【００７２】
下方面ファスナー７（固定手段）、上方面ファスナー８（固定手段）…の形状は、実施形態に示したような形状、数でなくても、たとえば、双方とも直線状である等、互いに係合して前保護フレーム３４（保護部）に遮光シート２を固定できるものならば、どんな形状、数でもよい。たとえば、双方とも横方向に延びる直線状であれば、日よけ１をさらにしっかりと前保護フレーム３４（保護部）等移動体に固定することができる。
【００７３】
固定手段は、下方面ファスナー７（固定手段）、上方面ファスナー８（固定手段）、挟持部３７（固定手段）、クリップ３８（固定手段）であったが、これ以外にも、磁石、スナップボタン、スライドファスナー、ボタンとボタンホール、バンド、ホックとフック、結束紐、連結紐、接着シートなど、日よけ１を乳母車３０（移動体）等に固定できるものならば何でもよい。
【００７４】
遮光シート２を下方布６（保持手段）が垂下された状態で保持する保持手段は、下方布６（保持手段）内部に金属製のロッド４２を縫いこむ等、下方布６に重みを付加する手段でも、下方布６（保持手段）の左右両端を移動体３０の左右の脚部に連結して固定させる手段でもよい。
【００７５】
この脚部に連結して固定させるには、下方布６（保持手段）の背面の左右両端に磁石９（保持手段）…を縫合してもよいし、あるいは、下方布６（保持手段）の左右両端に、乳母車前脚フレーム３５…に結び付ける連結紐１１…を縫合する方法でもよい。
【００７６】
あるいは、下方布６（保持手段）の左右両端に、前脚フレーム３５…の周囲をちょうど囲む程度の長さの二本の平たい布紐縫い付け、それぞれの先端どうしを係合する手段、たとえば、面ファスナー、スナップボタン、磁石、ボタンとボタンホール、フックとホック、クリップ、結紐、接着シートなどを設け、この二本の布紐で乳母車３０（移動体）の前脚フレーム３５…の周囲で係合し、下方布６（保持手段）の左右両端付近を乳母車３０（移動体）あるいは乳母車５０（移動体）の前脚フレーム３５…に固定してもよい。あるいは、保持手段はなくてもよい。
【００７７】
遮光シート２の下端部を、垂下された状態から上方へ反転して固定する反転手段としては、下方布面ファスナー１０を、幌３２の先端中央部に縫い付けられた幌面ファスナー３６に係合させてもよい。
【００７８】
他には、幌３２の前方フレーム４０の側部に着脱できる支持部材４１…を同じ高さになるように取り付け、二つの支持部材４１を渡すようにロッド４２を取りつけ、このロッド４２に遮光シート２の下端を係合させれば、乳幼児の上半身、特に顔部を遮光シート２で、紫外線から遮ることができる。ロッド４２は下方布６内部に縫合してもよい。
【００７９】
あるいは、下方布６の左右両端に磁石９…が縫合され、乳母車３０の前方フレーム４０が磁性体の金属製であれば、遮光シート２を前保護フレーム３４に固定したまま、下方布を上方に反転させ、磁石９…と前方フレーム４０を磁力により結合させ、この状態で固定してもよい。このように反転手段は、磁石、スナップボタン、面ファスナー、線ファスナー、ボタンとボタンホール、バンド、ホックとフック、クリップ、束紐、連結紐、接着シートなど何でも良い。
【００８０】
本考案による日よけ１は、前保護フレーム３４のあるタイプの乳母車３０（移動体）にも、前保護フレーム３４のないタイプの乳母車５０（移動体）にも取り付けて使用することができるし、前保護フレーム３４、アームレスト３３または前脚フレーム３５が上下または左右に複数ある移動体でも取り付け可能である。また、乳母車３０を押す人と乗っている子供とが向き合う対面型、通常の背面型等あらゆる乳母車に使用することができる。また、遮光シート２が適度な大きさであれば、子供用または大人用の車椅子（四輪）、電動車いす、三輪車、二輪車、自転車、四輪以上の移動体、移動ベッド、移動担架、子供乗せられるカート、座席３１が複数で複数人乗せられる移動体等、その他の移動体に取り付けて使用することもできる。  
【００８１】
収納袋３（収納部）の乳母車３０への取り付けの向きは、横方向のほか、「縦向きまたは斜め方向」でもよく、前脚フレーム３５（保護部）とアームレスト３３（保護部）または前保護フレーム３４（保護部）に、クリップまたは面ファスナーなどで収納袋３が掛け渡され、収納袋３が乳母車３０の右側端または左側端に縦に固定され、遮光シート２が「横方向または斜め」に引き出されて、側方に横に広げられ、下半身、胴部、脚部または足部を覆って遮光し、引き出されて広げられた先端が磁石、クリップまたは面ファスナーなどで前脚フレーム３５、アームレスト３３または前保護フレーム３４に固定され、乳母車３０の他の側端に固定されてもよい。この場合、乳母車３０の側面に収納袋３が取り付けられたり、乳母車３０の側面まで遮光シート２が延長されたりしてもよい。
【００８２】
収納袋３（収納部）の乳母車３０への取り付の位置は、乳母車３０の「下方の足元の脚部付近」でもよく、前脚フレーム３５、３５（保護部）間に、クリップまたは面ファスナーなどで収納袋３が架け渡され、遮光シート２が「上方向」に引き出されて、上方に広げられ、下半身、胴部、脚部または足部を覆って遮光し、引き出されて広げられた先端が磁石、クリップまたは面ファスナーなどでアームレスト３３または前保護フレーム３４に固定され、乳母車３０の中央付近で固定されてもよい。この場合、乳母車３０の側面にも収納袋３が取り付けられたり、乳母車３０の側面まで遮光シート２で覆われたりしてもよい。
【００８３】
収納袋３（収納部）の乳母車３０への取り付の位置は、乳母車３０の「上方の頂部付近」でもよく、幌３２前縁または乳母車３０上方のその他の部材（保護部）に、クリップまたは面ファスナーなどで収納袋３が固定され、遮光シート２が下方に引き出されて、下方に広げられ、上半身、胴部、胸部、顔部または腕部を覆って遮光し、前保護フレーム３４の前を経て、さらに下半身、胴部、脚部または足部を覆って遮光し、引き出されて広げられた先端が磁石、クリップまたは面ファスナーなどで前脚フレーム３５、３５に固定され、乳母車３０の下方に固定されてもよい。この場合、乳母車３０の側面にも収納袋３が取り付けられたり、乳母車３０の側面まで遮光シート２で覆われたりしてもよい。
【００８４】
日よけ１、遮光シート２、収納袋（収納部）３、スライドファスナー４、縫合部５、下方布６（保持手段）、下方面ファスナー７（固定手段）、上方面ファスナー８（固定手段）、磁石９（保持手段）、連結紐１１、下方布面ファスナー１０、連結紐１１、乳母車３０（移動体）、座席３１、幌３２、アームレスト３３、前保護フレーム３４（保護部）、前脚フレーム３５、幌面ファスナー３６（反転手段）、挟持部３７、クリップ３８、手押しフレーム３９、前方フレーム４０、支持部材４１、ロッド４２、乳母車５０（移動体）のそれぞれの一部または全体はなくてもよいし、その数は増えても減ってもよいし、その形状は任意に変更可能であり、均等の他のものに置き換えられてもよいし、これらの２つまたは３つ以上が合体または一体化されて兼用されていてもよい。
【００８５】
（１１）他の考案の効果
［１］人が座って移動できる座席と、  この座席に座った人の胴部から脚部付近において、当該人のほぼ前方に設けられた保護部と、を備えた移動体に対して、  この保護部に対して取り付けられ、上記座席に座った人の保護部から下、上または横を遮光する遮光シートと、  この遮光シートと上記保護部とを着脱自在に固定する、遮光シートに設けられた固定手段とを備えたことを特徴とする日よけ。これにより、例えば、座席の前方付近に前保護フレームが設けられている乳母車において、この保護フレームにこの日よけを取り付けることによって、座席に座っている乳幼児の前保護フレームから下を遮光することができる。
【００８６】
［２］上記遮光シートは、当該遮光シートを広げた状態から小さくした状態にして収納する収納部を備えたことを特徴とする請求項１記載の日よけ。これにより、遮光シートを使用しないときには、収納部内に遮光シートをコンパクトに収めることができ、持ち運びに便利である。
【００８７】
［３］  上記収納部及び上記固定手段は、上記遮光シートの広げられる基部に設けられ、当該遮光シートが小さくされた状態では、上記移動体の保護部付近にこの遮光シートが折り畳んだ状態で固定されることを特徴とする請求項２記載の日よけ。これにより、小さくされた遮光シートを解放するだけで、自重で遮光シートが広げられ、遮光シートを使用しないときには、保護部周囲・周辺に遮光シートをコンパクトに収めることができ邪魔にならず、かつ、遮光シートが必要なときには、すぐに取り出すことができる。
【００８８】
［４］  上記遮光シートの広げられた先端には、この遮光シートを広げられた状態で保持する保持手段を備えたことを特徴とする請求項３に記載の日よけ。これにより、遮光シートが軽い素材でできていても、風によって遮光シートが吹き上げられることがなく、安定的に使用できる。
【００８９】
［５］上記保持手段は、上記遮光シートの単位面積当たりの重量より重いおもりであり、遮光シートの垂下された先端に固定されていることを特徴とする請求項４に記載の日よけ。これにより、遮光シートが軽い素材でできていても、風によって遮光シートが吹き上げられることがなく、安定的に使用できる。
【００９０】
［６］  上記保持手段は、上記遮光シートの広げられた先端を、上記移動体本体に連結して固定する手段であることを特徴とする請求項４に記載の日よけ。これにより、遮光シートが軽い素材でできていても、風によって遮光シートが吹き上げられることがなく、さらに、安定的に使用できる。
【００９１】
［７］上記遮光シートは、垂下された状態から上方へ反転して固定する反転手段を備え、これにより上記座席に座った人の保護部から上をこの遮光シートが遮光することを特徴とする請求項４、５または６記載の日よけ。これにより、太陽光の角度によっては、乳母車使用者の上半身、特に、顔部を遮光する必要がある場合に対応することができる。
【００９２】
［８］上記遮光シートと上記収納部とは着脱自在であることを特徴とする請求項２または４記載の日よけ。これにより、収納部に対して他の別の遮光シートを交換して連結することができ、たとえば、夏用と冬用の遮光シートを用意し、収納袋に対して付け替えれば、一年を通して快
【００９３】
［１１］  乳母車に取り付けて用いられる日よけであって、  乳母車使用者の足部を紫外線から遮蔽する遮光布と、  この遮光布と一体的に設けられたこの遮光布を上記乳母車に固定する固定手段とを有することを特徴とする日よけ。これにより、例えば、座席の前方付近に前保護フレームが設けられている乳母車において、この保護フレームにこの日よけを取り付けることによって、座席に座っている乳幼児の前保護フレームから下を遮光することができる。
【００９４】
［１２］上記固定手段が、上記遮光布の端部に設けられていることを特徴とする請求項１１に記載の日よけ。これにより、例えば、座席の前方付近に前保護フレームが設けられている乳母車において、この保護フレームにこの日よけを取り付けることによって、座席に座っている乳幼児の前保護フレームから下を遮光することができる
【００９５】
［１３］上記乳母車が乳母車使用者の座席前方に前保護フレームを有する乳母車であって、上記遮光布の一方の端部に設けられた固定手段により、この遮光布の一方の端部がこの保護ガードに固定され、この遮光布のもう一方の端部が垂下されて、乳母車使用者の足部を覆うことを特徴とする請求項１２に記載の日よけ。これにより、乳幼児の前保護フレームから下を遮光することができる。
【００９６】
［１４］上記遮光布の垂下された側の端部には、この遮光布を垂下された状態で保持する保持手段を有することを特徴とする請求項１３に記載の日よけ。  これにより、風が吹いても、遮光布の先端がまくれ上がることがなく、安定的に使用することができる。
【００９７】
［１５］上記保持手段が、上記遮光布の垂下された側の端部に重さを付加することであることを特徴とする請求項１４に記載の日よけ。これにより,風が吹いても、遮光布の先端がまくれ上がることがなく、安定的に使用することができる。
【００９８】
［１６］上記保持手段が、上記遮光布の垂下された側の端部の左右の両端を上記乳母車の２本の前脚フレームの左右にそれぞれ固定させる手段であることを特徴とする請求項１４に記載の日よけ。これにより,風が吹いても、遮光布の先端がまくれ上がることがなく、安定的に使用することができる。
【００９９】
［１７］上記遮光布を、上記乳母車使用者の上半身を遮光する状態に切り替える手段を有することを特徴とする請求項１１に記載の日よけ。これにより、太陽光の角度によっては、乳幼児の足部より上半身を保護しなければならない場合に対応できる。
【０１００】
［１８］上記日よけを使用していないときに、上記遮光布を収納する収納手段をこの遮光布と一体的に備えていることを特徴とする請求項１１に記載の日よけ。これにより、遮光シートを使用しないときには、収納部内に遮光シートをコンパクトに収めることができ、持ち運びに便利である。
【０１０１】
［１９］上記収納手段は、上記固定手段を兼ねていることを特徴とする請求項１８に記載の日よけ。これにより、収納手段と固定手段を兼用して日よけをコンパクトにできる。
【産業上の利用可能性】
【０１０２】
軽量で携帯に便利な日よけ１であり、日よけ１の一端を乳母車３０（移動体）の前保護フレーム３４（保護部）に巻きつけて、下方面ファスナー７（固定手段）と上方面ファスナー８…を係合させて、前保護フレーム３４（保護部）に固定することにより、簡単に乳母車３０（移動体）に取り付けることができ、乳母車使用者である乳幼児の足部を保護することができる。
【０１０３】
また、本日よけ１を前保護フレーム３４（保護部）に固定させたまま、遮光シート２の下端部を上方に持ち上げ、乳母車３０（移動体）上方に設けられた幌３２の先端に固定すれば、乳幼児の上半身、特に顔部を紫外線から保護することができる。
【０１０４】
さらに、日よけ１を使用していないときには、遮光シート２と一体的に設けられた収納袋３（収納部）に遮光シート２の全体を折りたたんで収納したまま、乳母車（移動体）３０の前保護フレーム３４（保護部）に日よけ１を取りつけることができる。また、遮光シート２の全体を収納袋３（収納部）の内部に収納すれば、コンパクトになり携帯にも便利である。
【０１０５】
人が座って移動する移動体、特に乳母車の座席前方または下方から照射される紫外線から、乳母車使用者である乳幼児を保護する。日よけ１は、長方形型の遮光シート２と、この遮光シート２の端部に一体的に縫い付けられた収納袋３（収納部）からなる。
【０１０６】
収納袋３（収納部）には、上方面ファスナー８（固定手段）…及び下方面ファスナー７（固定手段）が縫い付けられていて、乳母車３０（移動体）の前保護フレーム３４（保護部）の周囲に巻き付けて遮光シート２を固定することができる。これにより、乳母車３０（移動体）に乗っている乳幼児の前保護フレーム３４（保護部）から下を遮光することができる。
【図１】
0003193849.tif 000003
【図２】
0003193849.tif 000004
【図３】
0003193849.tif 000005
【図４】
0003193849.tif 000006
【図５】
0003193849.tif 000007
【図６】
0003193849.tif 000008
【図７】
0003193849.tif 000009